(57)【要約】【課題】  コンピュータシステム導入時評価で意図的に発生させたイベントを監視装置に通報しない様にするための設定や解除が数度になり手間がかかっていた。又イベント発生の通報先を、評価時には評価者の端末等に変更したい要求がある。【解決手段】  監視対象装置１と、これに通信接続され通報を受ける監視装置２、３を含み、監視対象装置１が、障害イベントや稼働状況イベントについて、通報の対象とする期間と期間対応の通報先を、イベント識別、或いはそのグループ毎に定義した通報定義情報記憶１１と、前記イベントが発生すると、通報定義情報を参照し、発生時期に応じ、通報／抑止と通報先監視装置を決め、抑止でなければ発生したイベント情報を前記監視装置に通報する通報処理手段１２とを備えたことを特徴とする有効期間付き通報システム。【選択図】      図１
2005275908.tif 000002
【特許請求の範囲】
【請求項１】
監視対象の装置と、これに通信接続され通報を受ける監視装置を含み、
前記監視対象の装置が、障害イベントや稼働状況イベントについて、通報の対象とする開始期日を、イベント識別、或いはそのグループ毎に定義した通報定義情報記憶と、
前記イベントが発生すると、前記通報定義情報記憶を参照し、発生時期に応じ、通報／抑止を決め、抑止でなければ発生したイベント情報を前記監視装置に通報する通報処理手段とを備えたことを特徴とする有効期間付き通報システム。
【請求項２】
監視対象の装置と、これに通信接続され通報を受ける複数の監視装置を含み、
前記監視対象の装置が、障害イベントや稼働状況イベントについて、通報の対象とする期間と期間対応の通報先を、イベント識別、或いはそのグループ毎に定義した通報定義情報記憶と、
前記イベントが発生すると、前記通報定義情報記憶を参照し、発生時期に応じ、通報／抑止と通報先監視装置を決め、抑止でなければ発生したイベント情報を前記監視装置に通報する通報処理手段とを備えたことを特徴とする有効期間付き通報システム。
【請求項３】
障害イベントや稼働状況イベントについて、通報の対象とする開始期日を、イベント識別、或いはそのグループ毎に定義した通報定義情報記憶と、
前記イベントが発生すると、前記通報定義情報記憶を参照し、発生時期に応じ、通報／抑止を決め、抑止でなければ発生したイベント情報を、通信接続された装置に通報する通報処理手段とを備えたことを特徴とするコンピュータ。
【請求項４】
障害イベントや稼働状況イベントについて、通報の対象とする期間と期間対応の通報先を、イベント識別、或いはそのグループ毎に定義した通報定義情報記憶と、
前記イベントが発生すると、前記通報定義情報記憶を参照し、発生時期に応じ、通報／抑止と通報先を決め、抑止でなければ発生したイベント情報を前記通報先装置に通報する通報処理手段とを備えたことを特徴とするコンピュータ。
【請求項５】
障害イベントや稼働状況イベントが発生すると、これらのイベントについて、通報の対象とする開始期日を、イベント識別、或いはそのグループ毎に予め定義した通報定義情報記憶を参照し、発生時期に応じ、通報／抑止を決める手順と、
抑止でなければ発生したイベント情報を、通信接続された装置に通報する手順とをコンピュータに実行させるためのプログラム。
【請求項６】
障害イベントや稼働状況イベントが発生すると、これらのイベントについて、通報の対象とする期間と期間対応の通報先を、イベント識別、或いはそのグループ毎に予め定義した通報定義情報記憶を参照し、発生時期に応じ、通報／抑止と通報先を決める手順と、
抑止でなければ発生したイベント情報を、通信接続された通報先の装置に通報する手順とをコンピュータに実行させるためのプログラム。
【請求項７】
障害イベントや稼働状況イベントが発生すると、これらのイベントについて、通報の対象とする開始期日を、イベント識別、或いはそのグループ毎に予め定義した通報定義情報記憶を参照し、発生時期に応じ、通報／抑止を決める手順と、
抑止でなければ発生したイベント情報を、通信接続された装置に通報する手順とを含むことを特徴とする有効期間付き通報方法。
【請求項８】
障害イベントや稼働状況イベントが発生すると、これらのイベントについて、通報の対象とする期間と期間対応の通報先を、イベント識別、或いはそのグループ毎に予め定義した通報定義情報記憶を参照し、発生時期に応じ、通報／抑止と通報先を決める手順と、
抑止でなければ発生したイベント情報を、通信接続された通報先の装置に通報する手順を含むことを特徴とする有効期間付き通報方法。
【発明の詳細な説明】
【技術分野】
【０００１】
本発明はコンピュータ等が障害発生や稼働状況等のイベントを監視側の装置に通報する通報システムと方法、コンピュータ、及びプログラムに関し、特にイベント発生の通報をを発生時期に応じて抑止でき、また通報先を自動的に変更できる有効期間付き通報システムと方法、コンピュータ、及びプログラムに関する。
【背景技術】
【０００２】
従来、コンピュータシステムを導入した場合、或いは増設した場合には、実際の運用開始前に評価期間を設けシステム評価を行う。
【０００３】
又、この様な規模のコンピュータシステムは、通常、稼動状況や障害発生等の状態を外部の監視装置へ通報する機能を持っている。
【０００４】
上記の通報機能を持つコンピュータシステムの導入時評価のシステム評価では、意図的に障害となる条件を与えて障害検出機能や、障害時のデータ保護機能等も評価する。
【０００５】
この意図的に発生させるイベントは保守上、管理者に通報する必要はない。特にシステムに対して装置等を増設或いは部分的に置換し、それらを既存の監視装置に通信接続しオンラインで評価する場合には、既存の監視装置には既存の装置が接続され運用されているので、悪影響を与えることもある。
【０００６】
障害を通報するシステムとして、監視コンピュータが、監視対象コンピュータの状態について状態監視を行い、監視対象コンピュータの障害の有無を監視して、障害と判定した場合に、その内容に応じた最も適切な復旧対象者に自動的に振り分け通知を行う監視情報通報システムが開示されている（特許文献１参照。）。
【０００７】
【特許文献１】特開２００３−１２２５９８号公報（第１ページ）
【発明の開示】
【発明が解決しようとする課題】
【０００８】
上記意図的に発生させたイベントを通報しないようにするために、評価期間の開始時に該当イベントを通報対象から外す設定を行い、運用開始時にはそれらのイベントは通報を行うように変更するという作業をしている。
【０００９】
従って、評価のための設定や解除が数度になり手間がかかり、また設定ミスも誘発するという問題がある。
【００１０】
また上記の監視情報通報システムは、障害内容に応じて通知先を振り分けるが、期間や日付等で振り分けるものでなく、前記問題を解決するものではない。
【課題を解決するための手段】
【００１１】
本発明の第１の有効期間付き通報システムは、監視対象の装置と、これに通信接続され通報を受ける監視装置を含み、前記監視対象の装置が、障害イベントや稼働状況イベントについて、通報の対象とする開始期日を、イベント識別、或いはそのグループ毎に定義した通報定義情報記憶と、前記イベントが発生すると、前記通報定義情報記憶を参照し、発生時期に応じ、通報／抑止を決め、抑止でなければ発生したイベント情報を前記監視装置に通報する通報処理手段とを備えたことを特徴とする。
【００１２】
本発明の第２の有効期間付き通報システムは、監視対象の装置と、これに通信接続され通報を受ける複数の監視装置を含み、前記監視対象の装置が、障害イベントや稼働状況イベントについて、通報の対象とする期間と期間対応の通報先を、イベント識別、或いはそのグループ毎に定義した通報定義情報記憶と、前記イベントが発生すると、前記通報定義情報記憶を参照し、発生時期に応じ、通報／抑止と通報先監視装置を決め、抑止でなければ発生したイベント情報を前記監視装置に通報する通報処理手段とを備えたことを特徴とする。
【００１３】
本発明の第１のコンピュータは、障害イベントや稼働状況イベントについて、通報の対象とする開始期日を、イベント識別、或いはそのグループ毎に定義した通報定義情報記憶と、前記イベントが発生すると、前記通報定義情報記憶を参照し、発生時期に応じ、通報／抑止を決め、抑止でなければ発生したイベント情報を、通信接続された装置に通報する通報処理手段とを備えたことを特徴とする。
【００１４】
本発明の第２のコンピュータは、障害イベントや稼働状況イベントについて、通報の対象とする期間と期間対応の通報先を、イベント識別、或いはそのグループ毎に定義した通報定義情報記憶と、前記イベントが発生すると、前記通報定義情報記憶を参照し、発生時期に応じ、通報／抑止と通報先を決め、抑止でなければ発生したイベント情報を前記通報先装置に通報する通報処理手段とを備えたことを特徴とする。
【００１５】
本発明の第１のプログラムは、障害イベントや稼働状況イベントが発生すると、これらのイベントについて、通報の対象とする開始期日を、イベント識別、或いはそのグループ毎に予め定義した通報定義情報記憶を参照し、発生時期に応じ、通報／抑止を決める手順と、抑止でなければ発生したイベント情報を、通信接続された装置に通報する手順とをコンピュータに実行させることを特徴とする。
【００１６】
本発明の第２のプログラムは、障害イベントや稼働状況イベントが発生すると、これらのイベントについて、通報の対象とする期間と期間対応の通報先を、イベント識別、或いはそのグループ毎に予め定義した通報定義情報記憶を参照し、発生時期に応じ、通報／抑止と通報先を決める手順と、抑止でなければ発生したイベント情報を、通信接続された通報先の装置に通報する手順とをコンピュータに実行させることを特徴とする。
【００１７】
本発明の第１の有効期間付き通報方法は、障害イベントや稼働状況イベントが発生すると、これらのイベントについて、通報の対象とする開始期日を、イベント識別、或いはそのグループ毎に予め定義した通報定義情報記憶を参照し、発生時期に応じ、通報／抑止を決める手順と、抑止でなければ発生したイベント情報を、通信接続された装置に通報する手順とを含むことを特徴とする。
【００１８】
本発明の第２の有効期間付き通報方法は、障害イベントや稼働状況イベントが発生すると、これらのイベントについて、通報の対象とする期間と期間対応の通報先を、イベント識別、或いはそのグループ毎に予め定義した通報定義情報記憶を参照し、発生時期に応じ、通報／抑止と通報先を決める手順と、抑止でなければ発生したイベント情報を、通信接続された通報先の装置に通報する手順を含むことを特徴とする。
【発明の効果】
【００１９】
本発明によれば、通報対象に通報有効期限を設定しておくことで、システム導入時の評価期間、運用期間等、その状態により通報対象イベントを変更したい場合でも通報設定をそれぞれの時期に設定する必要がなくなり、設定の手間、ミスが削減される。
【発明を実施するための最良の形態】
【００２０】
次に、本発明を実施するための最良の形態について図面を参照して詳細に説明する。図１は本発明の有効期間付き通報システムの第１実施形態の全体構成を示したブロック図である。
【００２１】
図１を参照し、有効期間付き通報システムは、発生イベントを監視したい監視対象装置１と、これにイントラネット等のネットワーク１００で通信接続され、障害等のイベントが発生した旨とその内容の通報を受ける監視装置２および監視装置３を含む。
【００２２】
監視対象装置１は、プログラム制御で動作する情報処理装置で、サーバ装置や汎用コンピュータ等である。
【００２３】
監視対象装置１はイベント管理手段１３と、通報処理手段１２と通報定義情報記憶１１を備えている。
【００２４】
通報定義情報記憶１１は監視対象装置１の補助記憶装置に保持されるが、立ち上げ時にその内容がメモリ上にロードされる。
【００２５】
通報定義情報記憶１１は図２に示す様に、通報するイベントであることを示すイベント識別情報、通報先である監視装置２または監視装置３の識別情報である通報先情報、障害を通報する有効期間の有効開始日および有効期限日を有する。
【００２６】
図１に戻り説明すると、イベント管理手段１３は監視対象装置１の稼働状況や障害の発生状況を把握し、発生したイベント情報を通報処理手段１２に渡す。
【００２７】
通報処理手段１２はイベント情報を受けると、メモリ上の通報定義情報を参照して、通報するか抑止するかの判断、および監視装置２や３への通報処理を行う。
【００２８】
イベント管理手段１３と、通報処理手段１２は好適には監視対象装置１のプログラムで実現する。
【００２９】
監視装置２は監視対象装置１、或いはこれと既存の装置（図示せず）について障害等のイベントを監視する装置である。監視装置３は監視対象装置１を評価する評価者の端末である。
【００３０】
図２は通報定義情報記憶の設定例を示した図である。尚、図４に示すように、監視対象装置１の導入時の評価開始日をＡとし、運用開始日をＢとし運用開始後２０年をＣとする。
【００３１】
次に、本発明を実施するための最良の形態の動作について図面を参照して説明する。
【００３２】
図５を参照し、監視対象装置１においてイベント発生時に、通報処理手段１２は通報定義情報にそのイベントが登録されているかどうかを調べる（図５におけるステップＡ１およびＡ２）。
【００３３】
イベントが登録されていた場合、イベント発生日（その時の日付情報でカレンダクロックから取得されている）が有効開始日から有効期限の範囲内か否かを調べる（ステップＡ３）。
【００３４】
範囲内であった場合に、通報定義情報の通報先情報に記述された監視装置識別を取得し、アドレス表で通信アドレスに変換し、その監視装置に、障害の内容（イベント識別とその詳細）を通報する（ステップＡ４）。
【００３５】
例えば、新規にシステムを導入する際に、運用開始前の評価期間（図４におけるＡからＢ）では評価に伴い意図的に発生させる障害、例えばディスクの切断を保守管理者に通知する監視装置２には通報を行わないが、運用開始後（図４におけるＢＣ間）には監視装置２に通報を行うものとする。
【００３６】
この場合、図２に示す様に通報定義情報記憶１１にはディスク切断等の評価に伴い発生するディスク障害やＩ／Ｏ障害のコードをイベント識別に設定し、通報先情報として監視装置２の識別情報、有効開始日としてＢ（運用開始日）、有効期限として運用開始から２０年後等、充分に長い期限日Ｃ）を設定する。
【００３７】
評価期間中（ＡＢ間）に評価に伴う障害の発生時は、通報定義情報に記録されているため、通報対象と仮判断する（図５におけるステップＡ１およびＡ２）。
【００３８】
次に有効開始日から有効期限の範囲内か否かを調べるが（ステップＡ３）、評価期間中は有効期間外となり、未だ通報対象外と判断され、通報を行わない。
【００３９】
運用開始後（ＢＣ間）に該当のディスク障害やＩ／Ｏ障害が発生した時は、通報定義情報に記録されているため、通報対象と仮判断する（ステップＡ１およびＡ２）。
【００４０】
次にそのときの日付情報がディスク障害やＩ／Ｏ障害の有効開始日から有効期限の範囲内か否かを調べるが（ステップＡ３）、運用開始後（ＢＣ間）は有効期間内となり、通報対象と判断される。
【００４１】
通報先情報から監視装置２の識別情報を読み取り、これの通信アドレスをアドレス表から取得し監視装置２に通報処理を行う（図５におけるステップＡ４）。
【００４２】
別の例として、ディスク障害やＩ／Ｏ障害については運用開始後から通報し、メモリ破壊については、運用開始後には保守管理者に通知する監視装置２のみに通報し、運用開始前の評価期間には評価者に通知する監視装置３のみに通報させる例について説明する。
【００４３】
この場合、通報定義情報記憶１１には図２に示す様に、ディスク障害のコードからメモリ破壊のコードの設定まで行う。
【００４４】
メモリ破壊のコードをイベント識別欄に設定し、通報先情報として監視装置２の識別情報、有効開始日として稼働開始日（図４におけるＢ）、有効期限として運用開始後２０年等、充分に長い期限（図５におけるＣ）を設定すると共に、通報先情報として監視装置３の識別情報、有効開始日として評価開始日（図４におけるＡ）、有効期限として運用開始日（図４におけるＢ）の前日を設定する。
【００４５】
評価期間中のメモリ破壊発生では、通報定義情報記憶１１に記録されているため、通報対象と仮判断する（図５におけるステップＡ１およびＡ２）。
【００４６】
次に有効開始日から有効期限の範囲内か否かを調べるが（ステップＡ３）、評価期間中（図４におけるＡＢ間）は監視装置３への通報の有効期間内であり、通報対象と判断される。通報先情報から監視装置３の識別情報を読み取り、通報処理を行う（ステップＡ４）。
【００４７】
運用開始後（図４におけるＢＣ間）にメモリ破壊障害が発生すると、通報定義情報記憶１１に記録されているため、通報対象と仮判断する（図２におけるステップＡ１およびＡ２）。
【００４８】
次に有効開始日から有効期限の範囲内か否かを調べるが（ステップＡ３）、運用開始後（図４におけるＢＣ間）は監視装置２への通報の有効期間内であり、通報対象と判断される。通報先情報から監視装置２の識別情報を読み取り、通報処理を行う（ステップＡ４）。
【００４９】
以上説明した様に、本発明の第１実施形態によれば、通報対象に通報有効期限を設定し、最初にすべて設定することで、システム導入時の評価期間、運用期間等、その状態により通報対象イベントおよび通報先を変更したい場合でも通報設定をそれぞれ設定する必要がなくなり、設定の手間、ミスが削減される。
【００５０】
次に第２の実施形態について説明する。本実施形態の有効期間付き通報システムは、監視側は監視装置２のみとする。
【００５１】
また、通報定義情報記憶１１にはイベント識別と通報の有効開始日のみ含む。ディスク障害のコードとＩ／Ｏ障害コードをグループとしこれに有効開始として運用開始日（図４におけるＢ）を設定する。
【００５２】
監視対象装置１は、イベント発生時、通報定義情報を参照し、イベント識別が登録されており、その時の年月日が有効開始日以降であれば通報する。
【図面の簡単な説明】
【００５３】
【図１】本発明の有効期間付き通報システムの第１実施形態の全体構成を示したブロック図。
【図２】通報定義情報記憶１１の設定例を示した図。
【図３】アドレス表の例を示した図。
【図４】監視対象装置１の導入時の評価期間や運用期間を示した図。
【図５】本発明の動作を示したフローチャート。
【符号の説明】
【００５４】
１    監視対象装置
１１    通報定義情報記憶
１２    通報処理手段
１３    イベント管理手段
２、３    監視装置
１００    ネットワーク
【図１】
2005275908.tif 000003
【図２】
2005275908.tif 000004
【図３】
2005275908.tif 000005
【図４】
2005275908.tif 000006
【図５】
2005275908.tif 000007